(57)【特許請求の範囲】
【請求項１】
上面パネルと、
該上面パネルと対向する位置に配置される底面パネルと、
前記上面パネルと前記底面パネルの間に配置される一対の第１側面パネルと、
前記上面パネルと前記底面パネルの間に配置される一対の第２側面パネルとを備え、長尺シートを引き出し自在に収納する直方体の収納箱において、
前記上面パネルを、前記一対の第２側面パネルのうちの一つとの連結部分を支点として上方に開閉自在に形成し、
該上面パネルに延設して圧接パネルを形成して、該圧接パネルを前記上面パネルに対して下方に折り曲げて備え、
前記上面パネルを閉じたとき、前記圧接パネルが前記一対の第２側面パネルのうちの別の一つの内側に当接して、前記長尺シートの先端部分を前記圧接パネルと前記第２側面パネルの間に挟持し、
前記圧接パネルに延設して押えパネルを備え、
該押えパネルが前記長尺シートに当接し、かつ、該長尺シートを引き出す際に該長尺シートの上下動を抑制することを特徴とする、収納箱。
【請求項２】
前記第２側面パネルに延設して蓋パネルを備えることを特徴とする、請求項１に記載の収納箱。
【請求項３】
前記一対の第１側面パネルの上端に切り欠きを形成し、
前記上面パネルの両側にそれぞれガイドパネルを延設し、
前記上面パネルを閉じたとき、前記ガイドパネルが前記第１側面パネルの内側に位置し、
前記上面パネルを開くときに、前記切り欠きに露出する前記ガイドパネルをつかんで前記上面パネルを開くことを特徴とする、請求項１ないし２のいずれかに記載の収納箱。
【請求項４】
前記ガイドパネルの下部に規制部を備え、
前記上面パネルを所定量だけ開いたとき、前記圧接パネルと当接する前記第２側面パネルの内側に前記規制部が接触して前記上面パネルのさらなる開放を停止させることを特徴とする、請求項３に記載の収納箱。
【請求項５】
前記上面パネルを覆う蓋部を別体に備えることを特徴とする、請求項１、３、４のいずれかに記載の収納箱。
【請求項６】
前記底面パネルがオートボトムタイプである収納箱であって、
前記それぞれの第２側面パネルに延設して、ロック部を備える第１底面パネルと第２底面パネルとを備えるとともに、
前記それぞれの第２側面パネルに延設して補助底面パネルを備え、
該補助底面パネルが内側となるように配置した後、前記第１底面パネルおよび第２底面パネルのロック部どうしを掛け合わせてロックし、前記底面パネルを形成することを特徴とする、請求項１ないし５のいずれかに記載の収納箱。
【請求項７】
前記圧接パネルと当接する前記第２側面パネルの上端に切り欠きを備えることを特徴とする、請求項１ないし６のいずれかに記載の収納箱。
【請求項８】
上面パネルと、
該上面パネルと対向する位置に配置される底面パネルと、
前記上面パネルと前記底面パネルの間に配置される一対の第１側面パネルと、
前記上面パネルと前記底面パネルの間に配置される一対の第２側面パネルとを備え、長尺シートを引き出し自在に収納する直方体の収納箱において、
前記上面パネルを、前記一対の第２側面パネルのうちの一つとの連結部分を支点として上方に開閉自在に形成し、
前記上面パネルの両側にそれぞれガイドパネルを延設して備え、
該それぞれのガイドパネルに延設して圧接パネルを備え、
該２つの圧接パネルの先端を掛け止めてなる収納箱であって、
前記上面パネルを閉じたとき、前記圧接パネルが前記一対の第２側面パネルのうちの別の一つの内側に当接して、前記長尺シートの先端部分を前記圧接パネルと前記第２側面パネルの間に挟持し、
前記圧接パネルに延設して押えパネルを備え、
該押えパネルが前記長尺シートに当接し、かつ、該長尺シートを引き出す際に該長尺シートの上下動を抑制することを特徴とする、収納箱。
【発明の詳細な説明】
【技術分野】
【０００１】
本発明は、上面パネルと、底面パネルと、一対の第１側面パネルと、一対の第２側面パネルとを備え、長尺シートを引き出し自在に収納する直方体の収納箱に関する。
【背景技術】
【０００２】
従来、ロール状の長尺シートを繰り出し自在に収納する収納箱は、例えば特許文献１にあるように、上面パネルと、底面パネルと、一対の第１側面パネルと、一対の第２側面パネルを備える。そして、長尺シートの一部を使用するときは、上面パネルを、一対の第２側面パネルのうちの一つとの連結部分を支点として上方に開き、長尺シートの先端を引っ張って所望の長さに繰り出す。そして、付属の鋸刃（またはカッター）で切断する。
【先行技術文献】
【特許文献】
【０００３】
【特許文献１】特開平１０−１６９４８号公報
【発明の概要】
【発明が解決しようとする課題】
【０００４】
しかし、このような収納箱では、長尺シートの先端を引っ張って所望の長さに繰り出しながら鋸刃で切断するので、引っ張り作業と切断作業という異なる方向の力を長尺シートに同時に加える必要がある。このため、切断時に長尺シートが動いてしまい、長尺シートの幅方向に正確に切れない、また、長尺シートを所望の位置で切断することができないといった問題があった。そこでこの発明の目的は、長尺シートを所望の位置で、かつ、幅方向に正確に切断することが可能な収納箱を提供することにある。
【課題を解決するための手段】
【０００５】
このため請求項１に記載の発明は、上面パネルと、
該上面パネルと対向する位置に配置される底面パネルと、
前記上面パネルと前記底面パネルの間に配置される一対の第１側面パネルと、
前記上面パネルと前記底面パネルの間に配置される一対の第２側面パネルとを備え、長尺シートを引き出し自在に収納する直方体の収納箱において、
前記上面パネルを、前記一対の第２側面パネルのうちの一つとの連結部分を支点として上方に開閉自在に形成し、
該上面パネルに延設して圧接パネルを形成して、該圧接パネルを前記上面パネルに対して下方に折り曲げて備え、
前記上面パネルを閉じたとき、前記圧接パネルが前記一対の第２側面パネルのうちの別の一つの内側に当接して、前記長尺シートの先端部分を前記圧接パネルと前記第２側面パネルの間に挟持させることを特徴とする。
【０００６】
さらに、前記圧接パネルに延設して押えパネルを備え、
該押えパネルが前記長尺シートに当接し、かつ、該長尺シートを引き出す際に該長尺シートの上下動を抑制することを特徴とする。
【０００７】
請求項２に記載の発明は、請求項１に記載の収納箱において、前記第２側面パネルに延設して蓋パネルを備えることを特徴とする。
【０００８】
請求項３に記載の発明は、請求項１ないし２のいずれかに記載の収納箱において、前記一対の第１側面パネルの上端に切り欠きを形成し、
前記上面パネルの両側にそれぞれガイドパネルを延設し、
前記上面パネルを閉じたとき、前記ガイドパネルが前記第１側面パネルの内側に位置し、
前記上面パネルを開くときに、前記切り欠きに露出する前記ガイドパネルをつかんで前記上面パネルを開くことを特徴とする。
【０００９】
請求項４に記載の発明は、請求項３に記載の収納箱において、前記ガイドパネルの下部に規制部を備え、
前記上面パネルを所定量だけ開いたとき、前記圧接パネルと当接する前記第２側面パネルの内側に前記規制部が接触して前記上面パネルのさらなる開放を停止させることを特徴とする。
【００１０】
請求項５に記載の発明は、請求項１、３、４のいずれかに記載の収納箱において、前記上面パネルを覆う蓋部を別体に備えることを特徴とする。
【００１１】
請求項６に記載の発明は、請求項１ないし５のいずれかに記載の収納箱において、前記底面パネルがオートボトムタイプである収納箱であって、
前記それぞれの第２側面パネルに延設して、ロック部を備える第１底面パネルと第２底面パネルとを備えるとともに、
前記それぞれの第２側面パネルに延設して補助底面パネルを備え、
該補助底面パネルが内側となるように配置した後、前記第１底面パネルおよび第２底面パネルのロック部どうしを掛け合わせてロックし、前記底面パネルを形成することを特徴とする。
【００１２】
請求項７に記載の発明は、請求項１ないし６のいずれかに記載の収納箱において、前記圧接パネルと当接する前記第２側面パネルの上端に切り欠きを備えることを特徴とする。
【００１３】
請求項８に記載の発明は、上面パネルと、
該上面パネルと対向する位置に配置される底面パネルと、
前記上面パネルと前記底面パネルの間に配置される一対の第１側面パネルと、
前記上面パネルと前記底面パネルの間に配置される一対の第２側面パネルとを備え、長尺シートを引き出し自在に収納する直方体の収納箱において、
前記上面パネルを、前記一対の第２側面パネルのうちの一つとの連結部分を支点として上方に開閉自在に形成し、
前記上面パネルの両側にそれぞれガイドパネルを延設して備え、
該それぞれのガイドパネルに延設して圧接パネルを備え、
該２つの圧接パネルの先端を掛け止めてなる収納箱であって、
前記上面パネルを閉じたとき、前記圧接パネルが前記一対の第２側面パネルのうちの別の一つの内側に当接して、前記長尺シートの先端部分を前記圧接パネルと前記第２側面パネルの間に挟持し、
前記圧接パネルに延設して押えパネルを備え、
該押えパネルが前記長尺シートに当接し、かつ、該長尺シートを引き出す際に該長尺シートの上下動を抑制することを特徴とする。
【発明の効果】
【００１４】
請求項１に記載の発明によれば、上面パネルと、該上面パネルと対向する位置に配置される底面パネルと、前記上面パネルと前記底面パネルの間に配置される一対の第１側面パネルと、前記上面パネルと前記底面パネルの間に配置される一対の第２側面パネルとを備え、長尺シートを引き出し自在に収納する直方体の収納箱において、前記上面パネルを、前記一対の第２側面パネルのうちの一つとの連結部分を支点として上方に開閉自在に形成し、該上面パネルに延設して圧接パネルを形成して、該圧接パネルを前記上面パネルに対して下方に折り曲げて備え、前記上面パネルを閉じたとき、前記圧接パネルが前記一対の第２側面パネルのうちの別の一つの内側に当接して、前記長尺シートの先端部分を前記圧接パネルと前記第２側面パネルの間に挟持させる。
【００１５】
したがって、収納箱の上面パネルを開いて長尺シートを繰り出した後、上面パネルを閉じると、圧接パネルが第２側面パネルに当接し、長尺シートの先端部分を圧接パネルと第２側面パネルの間に挟持させることができる。これにより、長尺シートを所望の位置で、かつ、幅方向に正確に切断することが可能な収納箱を提供することができる。
【００１６】
さらに、前記圧接パネルに延設して押えパネルを備え、該押えパネルが前記長尺シートに当接し、かつ、該長尺シートを引き出す際に該長尺シートの上下動を抑制するので、長尺シートをバタつかせずに繰り出すことができる。これによって、長尺シートの繰り出し作業が容易になる。
【００１７】
請求項２に記載の発明によれば、前記第２側面パネルに延設して蓋パネルを備えるので、圧接パネルと第２側面パネルに挟持された部分よりも先端側にある長尺シートを上面パネル上に折り返して配置し、それを覆うように蓋パネルを配置するので、長尺シートの先端部分を清潔に保つことができる。
【００１８】
請求項３に記載の発明によれば、前記一対の第１側面パネルの上端に切り欠きを形成し、前記上面パネルの両側にそれぞれガイドパネルを延設し、前記上面パネルを閉じたとき、前記ガイドパネルが前記第１側面パネルの内側に位置し、前記上面パネルを開くときに、前記切り欠きに露出する前記ガイドパネルをつかんで前記上面パネルを開くので、上面パネルを容易に開くことができる。
【００１９】
請求項４に記載の発明によれば、前記ガイドパネルの下部に規制部を備え、前記上面パネルを所定量だけ開いたとき、前記圧接パネルと当接する前記第２側面パネルの内側に前記規制部が接触して前記上面パネルのさらなる開放を停止させるので、上面パネルを必要以上に開くことがない。また、上面パネルを開きすぎて、ガイドパネルが第１側面パネルから外れることを防止することができる。
【００２０】
請求項５に記載の発明によれば、前記上面パネルを覆う蓋部を別体に備えるので、一枚のブランク紙から収納箱を形成する場合などにおいて、これに規制されずに蓋部を所望の形状に形成することができる。また、蓋部を収納箱本体と別の材料で形成することができる。
【００２１】
請求項６に記載の発明によれば、前記底面パネルがオートボトムタイプである収納箱であって、前記それぞれの第２側面パネルに延設して、ロック部を備える第１底面パネルと第２底面パネルとを備えるとともに、前記それぞれの第２側面パネルに延設して補助底面パネルを備え、該補助底面パネルが内側となるように配置した後、前記第１底面パネルおよび第２底面パネルのロック部どうしを掛け合わせてロックし、前記底面パネルを形成する。これによって、底面を容易に形成できる。
【００２２】
請求項７に記載の発明によれば、前記圧接パネルと当接する前記第２側面パネルの上端に切り欠きを備えるので、長尺シートが切り欠きから露出し、この部分に指をあてて長尺シートを容易に繰り出すことができる。
【００２３】
請求項８に記載の発明によれば、上面パネルと、該上面パネルと対向する位置に配置される底面パネルと、前記上面パネルと前記底面パネルの間に配置される一対の第１側面パネルと、前記上面パネルと前記底面パネルの間に配置される一対の第２側面パネルとを備え、長尺シートを引き出し自在に収納する直方体の収納箱において、前記上面パネルを、前記一対の第２側面パネルのうちの一つとの連結部分を支点として上方に開閉自在に形成し、前記上面パネルの両側にそれぞれガイドパネルを延設して備え、該それぞれのガイドパネルに延設して圧接パネルを備え、該２つの圧接パネルの先端を掛け止めてなる収納箱であって、前記上面パネルを閉じたとき、前記圧接パネルが前記一対の第２側面パネルのうちの別の一つの内側に当接して、前記長尺シートの先端部分を前記圧接パネルと前記第２側面パネルの間に挟持し、前記圧接パネルに延設して押えパネルを備え、該押えパネルが前記長尺シートに当接し、かつ、該長尺シートを引き出す際に該長尺シートの上下動を抑制する。
【００２４】
したがって、収納箱の上面パネルを開いて長尺シートを繰り出した後、上面パネルを閉じると、圧接パネルが第２側面パネルに当接し、長尺シートの先端部分を圧接パネルと第２側面パネルの間に挟持させることができる。これにより、長尺シートを所望の位置で、かつ、幅方向に正確に切断することが可能な収納箱を提供することができる。さらに、長尺シートをバタつかせずに繰り出すことができる。これによって、長尺シートの繰り出し作業が容易になる。
【図面の簡単な説明】
【００２５】
【図１】この発明の一例の収納箱の展開図である。
【図２】（ａ）はその組み立てたときの斜視図、（ｂ）は包帯の説明図、（ｃ）は主要部の説明図である。
【図３】収納箱から包帯を繰り出す手順を説明するための図であり、（ａ）は蓋パネルを開いたところ、（ｂ）は上面パネルを開いたところを示す図である。
【図４】同じく、収納箱から包帯を繰り出す手順を説明するための図であり、（ａ）は包帯を収納箱から繰り出したところ、（ｂ）は包帯を所望の位置で切断した後、蓋パネルを閉じるところを示す図である。
【図５】この発明の別の例の収納箱の展開図である。
【図６】この発明のさらに別の例の収納箱の展開図である。
【図７】その斜視図である。
【図８】この発明のさらに別の例の収納箱の展開図である。
【図９】その要部を含む正面図である。
【図１０】この発明のさらに別の例の収納箱の展開図である。
【図１１】その要部を含む正面図である。
【図１２】この発明のさらに別の例の収納箱の斜視図である。
【図１３】この発明のさらに別の例の収納箱の概略断面図である。
【発明を実施するための形態】
【００２６】
以下、図面を参照しつつ、本発明の実施の形態について説明する。図１には、この発明の収納箱の一例の展開図を示す。収納箱（後述の符号１０）は１枚のブランク紙（ブランクシート）を所定の形に切り抜いて形成し、罫線（点線で表示）を形成して折り曲げて形成したものである（ブランク紙は、板紙、紙を主体とした複合シート、プラスチックシートなど一定の厚みを持った折り曲げ性にすぐれた材料（部材）で形成される）。また、隣接する各パネルどうしは一体に形成されている。
【００２７】
収納箱は略直方体に形成され、上面パネル１１、底面パネル１４、一対の第１側面パネル１２Ａ，１２Ｂ、一対の第２側面パネル１３Ａ，１３Ｂで構成される。収納箱１０の内部にはロール状の包帯（長尺シート）Ｂを備える。
【００２８】
上面パネル１１には、罫線Ｌ７を介して圧接パネル１８を延設し、圧接パネル１８にはさらに罫線Ｌ８を介して押えパネル１７を延設する（押えパネル１７はなくてもよい。押えパネル１７を備えると、包帯（長尺シート）Ｂをバタつかせずに繰り出すことができる。これによって、包帯Ｂの繰り出し作業が容易になる）。一方、上面パネル１１の両縁には、罫線Ｌ１，Ｌ２を介してガイドパネル１９，１９を備える（ガイドパネル１９，１９はなくてもよい。ガイドパネル１９に加えて切り欠きＣ（後述）を備えることで、上面パネル１１を開くときに、切り欠きＣに露出するガイドパネル１９をつかんで上面パネル１１を容易に開くことができる）。
【００２９】
第１側面パネル１２Ａは第２側面パネル１３Ａと罫線Ｌ１を介して連続して形成され、第２側面パネル１３Ａは第１側面パネル１２Ｂと罫線Ｌ２を介して連続して形成される。また、第１側面パネル１２Ｂは第２側面パネル１３Ｂと罫線Ｌ３を介して連続して形成される。第１側面パネル１２Ａには切り欠きＣが形成される（なお、切り欠きＣはなくてもよい。切り欠きＣが形成されることで、上面パネルを容易に開くことができる）。また、第１側面パネル１２Ａは罫線Ｌ５を介して補助片Ｅ２と連続している（補助片Ｅ２はなくてもよい）。なお、底面パネル１４にある一点鎖線の符号Ｅ２は収納箱を組み立てたときに、補助片Ｅ２が位置する箇所である（補助片Ｅ２は、収納箱１０を組み立てたときに、底面パネル１４に接着剤を介して接着してもよい。このようにすると、収納箱の強度を高めることができる）。
【００３０】
第２側面パネル１３Ａは、罫線Ｌ５を介して底面パネル１４と連続して形成されるとともに、罫線Ｌ６を介して上面パネル１１と連続している。また、第２側面パネル１３Ａと上面パネル１１との間の罫線Ｌ６の一部に沿って切り込みＦ１が形成されている。
【００３１】
第１側面パネル１２Ｂには切り欠きＣが形成される（なお、切り欠きＣはなくてもよい。切り欠きＣが形成されることで、上面パネルを容易に開くことができる）。また、第１側面パネル１２Ｂは罫線Ｌ５を介して補助片Ｅ２と連続している。第２側面パネル１３Ｂには罫線Ｌ６を介して蓋パネル１５を延設する一方、罫線Ｌ４を介して補助片Ｅ１を延設する（蓋パネル１５はなくてもよい。蓋パネル１５を備えると、包帯Ｂの先端部分を清潔に保つことができる）。補助片Ｅ１は、収納箱１０を組み立てたときに、第１側面パネル１２Ａに接着剤を介して接着するためのものである（第１側面パネル１２Ａにある一点鎖線の符号Ｅ１は収納箱１０を組み立てたときに、補助片Ｅ１を貼り付ける箇所である）。なお、第２側面パネル１３Ｂの１つの縁の略中央には、切り欠きＤ１が形成されている（切り欠きＤ１はなくてもよい）。
【００３２】
底面パネル１４は罫線Ｌ１０を介して差込片１４Ａと連続して形成される。なお、この罫線Ｌ１０の一部に沿って切り込みＦ２が形成されている。
【００３３】
収納箱１０を組み立てるには、まず、第１側面パネル１２Ａおよびガイドパネル１９を罫線Ｌ１において略直角に谷折りするとともに、第１側面パネル１２Ｂおよびガイドパネル１９を罫線Ｌ２において略直角に谷折りする。さらに、第２側面パネル１３Ｂを罫線Ｌ３において略直角に谷折りし、補助片Ｅ１を罫線Ｌ４において略直角に谷折りする。そして、補助片Ｅ１と第１側面パネル１２Ａとを接着剤を介して接着する。
【００３４】
次に、補助片Ｅ２，Ｅ２を罫線Ｌ５において略直角に谷折りするとともに、底面パネル１４を罫線Ｌ５において略直角に谷折りする。このとき、差込片１４Ａを罫線Ｌ１０において略直角に谷折りし、第２側面パネル１３Ｂの内側に重なるようにして挿入し、底面を閉じる。そして、後述するロール状の包帯（図２において符号Ｂで表示）を底面パネル１４上に配置するようにして箱内に挿入する。
【００３５】
さらに、ガイドパネル１９，１９を第１側面パネル１２Ａ，１２Ｂに内側に重なるようにして挿入する。このとき、圧接パネル１８を罫線Ｌ７において略直角に谷折りするとともに、押えパネル１７を罫線Ｌ８において略直角に谷折りし、押えパネル１７を、対向して配置されたガイドパネル１９，１９の間に配置する（すなわち、収納箱の内部に配置する）。この押えパネル１７は折り曲げ反力（罫線Ｌ８において折り曲げたことによって生じる反力）によって包帯の表面に当接する。
【００３６】
最後に、蓋パネル１５を罫線Ｌ６おいて略直角に谷折りして上面パネル１１上に被せるとともに、差込片１５Ａを罫線Ｌ９おいて略直角に谷折りして、切り込みＦ１に挿入する（この差込片１５Ａと切り込みＦ１にてロック機構を構成する）。このようにして、図２（ａ）に示すような収納箱１０が完成する。なお、罫線に代えて、ハーフカットやミシン目であってもよい。また、差込片１５Ａはなくてもよい。
【００３７】
ところで、収納箱１０の内部には、図２（ｂ）に示すような包帯（長尺シート）Ｂを配置する。包帯Ｂは長尺シートをロール状に巻いて形成される。包帯Ｂは、先端ＢＴを引っ張ってロール部ＢＲから必要な長さだけ繰り出し、はさみなどで切断して使用する。包帯Ｂを収納箱１０内に配置し、その繰出部（先端部分）Ｂ１の一部を圧接パネル１８と第２側面パネル１３Ｂとの間に配置する（図２（ｃ））。圧接パネル１８と第２側面パネル１３Ｂとの間には一定の押圧力が働いているので、この間に挟持された繰出部Ｂ１は一定の力で固定される。なお、繰出部Ｂ１の先端側部分は折り返して上面パネル１１上に載置され、繰出部Ｂ１を上から蓋パネル１５で覆う。なお、包帯Ｂの先端ＢＴが蓋パネル１５からはみ出ないようにすると、より衛生的である。
【００３８】
次に、収納箱１０から包帯Ｂを必要な長さだけ取り出す手順について説明する。まず、差込片１５Ａを切り込みＦ１から外して、蓋パネル１５を第２側面パネル１３Ｂに当接するまで開く（図３（ａ））。そして、差込片１５Ａを切り込みＦ２に差し込んで、蓋パネル１５を第２側面パネル１３Ｂに沿うようにして固定する。このとき、第２側面パネル１３Ｂには切り欠きＤ１が形成されているので、差込片１５Ａを切り込みＦ２に差し込む際の逃げを形成し、容易に差し込むことができる。これによって、包帯Ｂの繰出部Ｂ１が露出する。
【００３９】
次に、図３（ｂ）に示すように、切り欠きＣによって露出している一対のガイドパネル１９の一部を指でつかみながら上面パネル１１を回動中心ＣＴの周りに上方に向けて回動する（なお、回動中心ＣＴは、上面パネル１１と第２側面パネル１３Ａの間に形成された罫線Ｌ６である）。これによって、圧接パネル１８と第２側面パネル１３Ｂとの当接が解除され、包帯Ｂが引き出し可能となる。ガイドパネル１９の円弧部１９ＡＲは、回動中心ＣＴから等距離（上面パネル１１よりわずかに短く形成される）に形成される（扇状）。円弧部１９ＡＲに連続して、規制部１９Ｅを形成する。この規制部１９Ｅは、回動中心ＣＴからの距離が円弧部１９ＡＲのそれと比べて大きく形成されている。これによって、上面パネル１１を一定量だけ開くと、規制部１９Ｅが第２側面パネル１３Ｂの内側面に当接し、それ以上、上面パネル１１が回動して開放しないようにストッパーの役割をしている。なお、規制部１９Ｅはなくてもよい。規制部１９Ｅを備えると、上面パネル１１を必要以上に開くことがない。また、上面パネル１１を開きすぎて、ガイドパネル１９が第１側面パネル１２Ａ，１２Ｂから外れることを防止することができる。
【００４０】
この状態で、先端ＢＴをつまみながら必要長さだけ包帯Ｂを繰り出す。このとき、押えパネル１７が包帯Ｂのロール部ＢＲを上から押圧するので、回転しても箱内でロール部ＢＲがバタつかない（包帯Ｂが収納箱１０内でバタつかないようにするには、包帯Ｂの幅よりも第２側面パネル１３Ａ，１３Ｂの幅をわずかに大きくするといっそう効果がある）。そして、上面パネル１１を閉じる（図４（ａ））。これによって、再び、圧接パネル１８と第２側面パネル１３Ｂとが当接して、繰出部Ｂ１の一部がこの間に挟持される。次に、先端ＢＴを軽く引っ張って繰出部Ｂ１を張った状態とし、矢印Ｓにハサミを入れて繰出部Ｂ１をカットして使用する。その後、残った繰出部Ｂ１を上面パネル１１上に載せ、蓋パネル１５で覆う（図４（ｂ））。
【００４１】
このように、この例の収納箱１０は、上面パネル１１と、上面パネル１１と対向する位置に配置される底面パネル１４と、上面パネル１１と底面パネル１４の間に配置される一対の第１側面パネル１２Ａ，１２Ｂと、上面パネル１１と底面パネル１４の間に配置される一対の第２側面パネル１３Ａ，１３Ｂとを備え、包帯（長尺シート）Ｂを引き出し自在に収納する。また、上面パネル１１を、第２側面パネル１３Ｂの連結部分を支点として上方に開閉自在に形成する。上面パネル１１に延設して圧接パネル１８を形成して、圧接パネル１８を上面パネル１１に対して下方に折り曲げて備え、上面パネル１１を閉じたとき、圧接パネル１８が第２側面パネル１３Ｂの内側に当接する。また、包帯Ｂの先端ＢＴを圧接パネル１８と第２側面パネル１３Ｂの間に挟持させるものである。
【００４２】
なお、収納箱は、図５に示すように、オートボトムタイプであってもよい。この例では、底面パネルを、第１底面パネル１１４Ａ，第２底面パネル１１４Ｂとで構成する。
【００４３】
上面パネル１１には、罫線Ｌ７を介して圧接パネル１８を延設し、圧接パネル１８にはさらに罫線Ｌ８を介して押えパネル１７を延設する（押えパネル１７はなくてもよい。押えパネル１７を備えると、包帯（長尺シート）Ｂをバタつかせずに繰り出すことができる。これによって、包帯Ｂの繰り出し作業が容易になる）。一方、上面パネル１１の両縁には、罫線Ｌ１，Ｌ２を介してガイドパネル１９，１９を備える（ガイドパネル１９，１９はなくてもよい。ガイドパネル１９と切り欠きＣ（後述）を備えることで、上面パネル１１を開くときに、切り欠きＣに露出するガイドパネル１９をつかんで上面パネル１１を容易に開くことができる）。
【００４４】
第１側面パネル１２Ａは第２側面パネル１３Ａと罫線Ｌ１を介して連続して形成され、第２側面パネル１３Ａは第１側面パネル１２Ｂと罫線Ｌ２を介して連続して形成される。また、第１側面パネル１２Ｂは第２側面パネル１３Ｂと罫線Ｌ３を介して連続して形成される。
【００４５】
第１側面パネル１２Ａには切り欠きＣが形成される（なお、切り欠きＣはなくてもよい。切り欠きＣが形成されることで、上面パネルを容易に開くことができる）。また、第１側面パネル１２Ａは罫線Ｌ５を介して補助底面パネルＥ３と連続している。
【００４６】
第２側面パネル１３Ａは、罫線Ｌ５を介して第２底面パネル１１４Ｂと連続して形成されるとともに、罫線Ｌ６を介して上面パネル１１と連続している。また、第２側面パネル１３Ａと上面パネル１１との間の罫線Ｌ６の一部に沿って切り込みＦ１が形成されている。
【００４７】
第１側面パネル１２Ｂには切り欠きＣが形成される（なお、切り欠きＣはなくてもよい。切り欠きＣが形成されることで、上面パネルを容易に開くことができる）。また、第１側面パネル１２Ｂは罫線Ｌ５を介して補助底面パネルＥ３と連続している。第２側面パネル１３Ｂには罫線Ｌ６を介して蓋パネル１５を延設する一方、罫線Ｌ４を介して補助片Ｅ１を延設する。補助片Ｅ１は、収納箱を組み立てたときに、第１側面パネル１２Ａに接着剤を介して接着するためのものである（第１側面パネル１２Ａにある一点鎖線の符号Ｅ１は収納箱を組み立てたときに、補助片Ｅ１を貼り付ける箇所である）。第２側面パネル１３Ｂにはさらに、罫線Ｌ５を介して第１底面パネル１１４Ａを延設する。第１底面パネル１１４Ａの罫線Ｌ５近傍には切り込みＦ２´を形成する。
【００４８】
第１底面パネル１１４Ａと第２底面パネル１１４Ｂにはそれぞれロック部ＬＣが形成されている。この２つのロック部ＬＣを掛け合わせることで、第１底面パネル１１４Ａと第２底面パネル１１４Ｂとを連結し、底面パネルを構成する。
【００４９】
収納箱を組み立てるには、まず、第１側面パネル１２Ａおよびガイドパネル１９を罫線Ｌ１において略直角に谷折りするとともに、第１側面パネル１２Ｂおよびガイドパネル１９を罫線Ｌ２において略直角に谷折りする。さらに、第２側面パネル１３Ｂを罫線Ｌ３において略直角に谷折りし、補助片Ｅ１を罫線Ｌ４において略直角に谷折りする。そして、補助片Ｅ１と第１側面パネル１２Ａとを接着剤を介して接着する。
【００５０】
次に、２つの補助底面パネルＥ３，Ｅ３を罫線Ｌ５において略直角に谷折りするとともに、第１底面パネル１１４Ａと第２底面パネル１１４Ｂを罫線Ｌ５において略直角に谷折りし、２つのロック部ＬＣを掛け合わせることで、第１底面パネル１１４Ａと第２底面パネル１１４Ｂとを連結し、底面パネルを構成する。そして、後述するロール状の包帯（図２において符号Ｂで表示）を底面パネル上に配置するようにして箱内に挿入する。
【００５１】
さらに、ガイドパネル１９，１９を第１側面パネル１２Ａ，１２Ｂに内側に重なるようにして挿入する。このとき、圧接パネル１８を罫線Ｌ７において略直角に谷折りするとともに、押えパネル１７を罫線Ｌ８において略直角に谷折りし、押えパネル１７を、対向して配置されたガイドパネル１９，１９の間に配置する（すなわち、収納箱の内部に配置する）。この押えパネル１７は折り曲げ反力（罫線Ｌ８において折り曲げたことによって生じる反力）によって包帯の表面に当接する。
【００５２】
最後に、蓋パネル１５を罫線Ｌ６おいて略直角に谷折りして上面パネル１１上に被せるとともに、差込片１５Ａを罫線Ｌ９おいて略直角に谷折りして、切り込みＦ１に挿入する（この差込片１５Ａと切り込みＦ１にてロック機構を構成する）。このようにして、オートボトムタイプの収納箱が完成する。なお、罫線に代えて、ハーフカットやミシン目であってもよい。また、差込片１５Ａはなくてもよい。
【００５３】
なお、切り込みＦ２´は、収納箱を形成したときに差込片１５Ａを差し込んで蓋パネル１５を開いた状態でロックするためのものである。その他の構成は前述の例と同様である。また、包帯Ｂを繰り出す手順も同様である。
【００５４】
また、図６，７に示すように、蓋パネル１５を一体に備えず、蓋部１１５を別体に備えるようにしてもよい（なお、符号１１０は収納箱を示す）。蓋部１１５は樹脂、紙などで形成され、天面１１５Ａと向かい合う一対の側面１１５Ｂ、一対の側面１１５Ｃによって構成される。天面１１５Ａは、上面パネル１１を上から覆うためのものであり、側面１１５Ｂは第２側面パネル１３Ａ，１３Ｂの上部を側方より覆うためのものである。また、側面１１５Ｃは第１側面パネル１２Ａ，１２Ｂの上部を側方より覆うためのものである。これ以外の構成は、図１，２の例と同様である。また、包帯Ｂを使用するときは、蓋部１１５を外す。それ以降の動作は、図３，４で説明したのと同様である。
【００５５】
また、図１，２の例の収納箱１０は、圧接パネル１８に代えて、圧接パネル１１８Ａ，１１８Ｂを備えてもよい。図８，９に示すように、圧接パネル１１８Ａ，１１８Ｂを罫線Ｌ１１を介してガイドパネル１９より延設する。収納箱２１０の組み立て方法は、収納箱１０に準拠するが、ガイドパネル１９を罫線Ｌ１または罫線Ｌ２において略直角に谷折りする際、圧接パネル１１８Ａ，１１８Ｂを罫線Ｌ１１にて略直角に谷折りする点が異なる。折り曲げられた圧接パネル１１８Ａ，１１８Ｂは、先端部に備える切り込みＡＸ，ＢＸを掛け合わせることで連結する。
【００５６】
連結された圧接パネル１１８Ａ，１１８Ｂは、上面パネル１１を閉じたときに、第２側面パネル１３Ｂの内側に当接する。圧接パネル１１８Ａ，１１８Ｂと第２側面パネル１３Ｂとの間には一定の押圧力が働くように構成する。包帯Ｂの繰出部Ｂ１は圧接パネル１１８Ａ，１１８Ｂと第２側面パネル１３Ｂとの間に挟持される。これ以外の構成は、図１，２の例と同様である。また、包帯Ｂを使用するときの動作は、図３，４で説明したのと同様である。
【００５７】
さらに、図６，７の例の収納箱１１０の第２側面パネル１３Ｂに切り欠きを設けてもよい。すなわち、図１０，１１に示すように、収納箱３１０の第２側面パネル１３Ｂ´の上部に切り欠きＤ２を形成する（切り欠きＤ２の形状は三角形に限定されるものではなく、例えば、四角形や半円形であってもよい）。このように構成することで、包帯Ｂの先端ＢＴが圧接パネル１８と上面パネル１１との隙間にあるような場合であっても、切り欠きＤ２から包帯Ｂの繰出部Ｂ１が露出しているので、ここに指を当てて包帯Ｂの先端ＢＴを繰り出すことが容易にできる。このとき、蓋部１１５の側面１１５Ｂの高さが切り欠きＤ２を全て覆うように設計すると、包帯Ｂが収納箱３１０から露出することがなく衛生的である。この例では、包帯Ｂを上面パネル１１と第２側面パネル１３Ｂが形成する角部がハサミをガイドしながら包帯Ｂを切断することができるので、直線的に包帯Ｂを切断することを容易にする。また、切断後の包帯Ｂが上面パネル１１上にほとんど露出せず、より衛生的である。
【００５８】
図１，２の例の収納箱１０は、図１２に示すように構成してもよい。収納箱４１０に備える上面パネル１１´は、上面パネル１１と同一形状であるが、中央付近に切り込みＦ４を備える。また、蓋パネル１５´は蓋パネル１５よりも短く形成され、その先端に差込片１５Ａ´を備える。これ以外の構成は収納箱１０と同一である。収納箱４１０のように構成することで、蓋パネル１５´の長さを短くすることができる。
【００５９】
なお、上述の全ての例では、長尺シートの一例として、ロール状の包帯Ｂを適用したが、この発明はこれに限定されるものではなく、例えば、図１３に示すように、収納箱１０内に、Ｚ状に折り畳まれた包帯ＢＳを収納してもよい。この場合の収納箱１０の構成および使用方法は図１〜４の例と同一である。なお、符号ＢＳ１は包帯ＢＳの繰出部、符号ＢＳＴは包帯ＢＳの先端を示す。また、長尺シートの例としては、包帯以外に、不織布、紙、樹脂フィルムなどであってもよい。
【符号の説明】
【００６０】
１０  収納箱
１１  上面パネル
１２Ａ，１２Ｂ  第１側面パネル
１３Ａ，１３Ｂ  第２側面パネル
１４  底面パネル
１５  蓋パネル
１７  押えパネル
１８，１１８Ａ，１１８Ｂ  圧接パネル
１９  ガイドパネル
１９Ｅ  規制部
１１４Ａ  第１底面パネル
１１４Ｂ  第２底面パネル
１１５  蓋部
Ｂ，ＢＳ  包帯（長尺シート）
Ｂ１  繰出部（先端部分）
Ｃ  切り欠き
Ｄ２  切り欠き
Ｅ３  補助底面パネル
ＬＣ  ロック部
【図１】
0005741243.tif 000002
【図２】
0005741243.tif 000003
【図３】
0005741243.tif 000004
【図４】
0005741243.tif 000005
【図５】
0005741243.tif 000006
【図６】
0005741243.tif 000007
【図７】
0005741243.tif 000008
【図８】
0005741243.tif 000009
【図９】
0005741243.tif 000010
【図１０】
0005741243.tif 000011
【図１１】
0005741243.tif 000012
【図１２】
0005741243.tif 000013
【図１３】
0005741243.tif 000014